(57)【特許請求の範囲】
【請求項１】
ポケットの開口側の内布の一部を掛止する掛止部を有し、該掛止部で前記開口側の内布を外れないように掛止しながらポケットの奥方向に押し退けておく押し退け部と、
ポケットの外布の開口縁部を前記開口側の内布とは相対的に反対方向に引き寄せた状態で保持する保持手段とを備えたミシンのポケット枠。
【請求項２】
前記押し退け部は、前記掛止部を先端に有し、枠本体に左右に間隔を置いて前方に突設された一対のアームである請求項１記載のミシンのポケット枠。
【請求項３】
前記掛止部は、左右方向に延びる凹溝である請求項２記載のミシンのポケット枠。
【請求項４】
前記凹溝は、ポケットの幅方向における前記内布の中間側を掛止する部分ほど奥行きが浅く形成された請求項３記載のミシンのポケット枠。
【請求項５】
前記掛止部は、複数の凸部である請求項２記載のミシンのポケット枠。
【請求項６】
前記保持手段は、前記外布の開口縁部を粘着保持するための、前記アームの上面に設けた粘着剤である請求項２〜５のいずれか一項に記載のミシンのポケット枠。
【請求項７】
前記保持手段は、前記外布を前記アームの上面に押さえて保持するための、前記枠本体又は前記アームに設けた押さえ部材である請求項２〜５のいずれか一項に記載のミシンのポケット枠。
【請求項８】
前記押さえ部材は、前記アームの上面を押さえない位置に退避可能に構成された請求項７記載のミシンのポケット枠。
【請求項９】
前記押さえ部材は、その下面に滑り止め部材が配設された請求項７記載のミシンのポケット枠。
【請求項１０】
前記外布の開口縁部を保持する位置を決めるための目盛を前記一対のアームの上面に設けた請求項２〜９のいずれか一項に記載のミシンのポケット枠。
【請求項１１】
前記アーム同士の間隔を調節可能に構成した請求項２〜１０のいずれか一項に記載のミシンのポケット枠。
【発明の詳細な説明】
【０００１】
【発明の属する技術分野】
本発明は、ポケットの外布の開口縁部に縫製加工するためのミシンのポケット枠に関するものである。
【０００２】
【従来の技術】
従来、ポケットＰの外布Ｑの開口縁部に氏名、会社名、マーク等を縫製加工するときは、図８及び図９に示すような短筒状に形成された外枠５２と内枠５３とからなる縫製枠５１が使用されている。この縫製枠５１の内枠５３の内径は約７〜９ｃｍである。この縫製枠５１にポケットＰの外布Ｑを展張するには、まず、図９（ａ）〜（ｂ）に示すように一方の手で外枠５２を持ち、該外枠５２の外周壁５２ａでポケットＰの開口側の内布ＲをポケットＰの奥方向に押し退ける一方、ポケットＰの外布Ｑの開口縁部を内布Ｒとは相対的に反対方向に他方の手で引き寄せておく。次いで、この状態を一方の手のみで維持することにより他方の手を空け、該手で内枠５３を持ち、同図（ｃ）に示すようにポケットＰの外布Ｑの開口縁部の上に内枠５３を置いて外布Ｑとともに外枠５２内に押し込む。こうして、外枠５２の内周面と内枠５３の外周面との間に外布Ｑを挟持して、該外布Ｑの開口縁部を縫製枠５１内に展張するようになっている。そして、この縫製枠５１をミシンの駆動枠（図示略）に張設して縫製加工をする。
【０００３】
【発明が解決しようとする課題】
ところが、外枠５２の外周壁面は幅狭かつ周方向に湾曲しているため、開口側の内布ＲをポケットＰの奥方向に押し退けるときに、該内布Ｒが該外周壁面から外れやすく、作業性が悪い。また、一旦縫製枠５１に張設した後でも、該内布Ｒが外周壁面から外れ、外布Ｑの下側に入り込み、外布Ｑとともに内布Ｒにまで縫製されてしまうこともあるという問題もある。
【０００４】
また、内枠５３を外布Ｑとともに外枠５２内に押し込むことにより、外布Ｑを挟持するため、内枠５３の高さ及び壁幅の分、縫製加工範囲Ａが狭くなる。しかも、内枠５３の付近では、針、針棒、布押え等が内枠５３に干渉するため、縫製加工することができず、縫製加工範囲Ａはさらに狭くなる。
【０００５】
また、短筒状に形成された外枠５２の内周面と、短筒状に形成された内枠５３の外周面との間に外布Ｑを挟持するため、外布Ｑが外枠５２及び内枠５３の周方向にずれ易い。このため、縫製枠５１にポケットＰを張設する位置がばらつき易いという問題もある。
【０００６】
本発明の第一の目的は、上記課題を解決し、ポケットを簡単に張設することができるミシンのポケット枠を提供することにある。
【０００７】
本発明の第二の目的は、より広い縫製加工範囲を確保することができるミシンのポケット枠を提供することにある。
【０００８】
本発明の第三の目的は、所望の位置にポケットを正確に張設することができるミシンのポケット枠を提供することにある。
【０００９】
【課題を解決するための手段】
上記目的を達成するために、本発明のミシンのポケット枠は、ポケットの開口側の内布の一部を掛止する掛止部を有し、該掛止部で前記開口側の内布を外れないように掛止しながらポケットの奥方向に押し退けておく押し退け部と、ポケットの外布の開口縁部を前記開口側の内布とは相対的に反対方向に引き寄せた状態で保持する保持手段とを備えている。
【００１０】
前記押し退け部としては、特に限定されないが、前記掛止部を先端に有し、枠本体に左右に間隔を置いて前方に突設された一対のアームである態様を例示できる。
【００１１】
前記掛止部としては、特に限定されないが、次の態様を例示できる。
（１）左右方向に延びる凹溝である態様。前記凹溝は、特に限定されないが、ポケットの幅方向における前記内布の中間側を掛止する部分ほど奥行きが浅く形成されていることが好ましい。
（２）複数の凸部である態様。
【００１２】
前記保持手段としては、特に限定されないが、次の態様を例示できる。
（ａ）前記外布の開口縁部を粘着保持するための、前記アームの上面に設けた粘着剤である態様。粘着剤としては、特に限定されないが、外布をアームの上面に貼り付けることができ、かつ、貼り付けられた外布をアームの上面から剥がしたときに外布に付着しないものが好ましい。また、粘着剤は、スプレーで噴射する等してアームの上面に直接付着させることのほか、粘着剤が上面に付着された両面粘着性シートをアームの上面に配設することによって間接的に付着させてもよい。
（ｂ）前記外布を前記アームの上面に押さえて保持するための、前記枠本体又は前記アームに設けた押さえ部材である態様。
【００１３】
前記押さえ部材は、前記アームの上面を押さえない位置に退避可能に構成された態様を例示できる。また、前記押さえ部材は、その下面に滑り止め部材が配設された態様を例示できる。
【００１４】
また、前記外布の開口縁部を保持する位置を決めるための目盛を前記一対のアームの上面に設けることができる。
【００１５】
さらに、前記アーム同士の間隔をポケットの大きさ、形状等に応じて調節可能に構成した態様を例示できる。
【００１６】
【発明の実施の形態】
図１〜図５は本発明を具体化した第一実施形態のミシンのポケット枠１を示しており、該ポケット枠１はミシンの駆動枠２に装着され、ミシンテーブル（図示略）上で前後左右に駆動されるようになっている。このポケット枠１は、図１に示すように駆動枠２につまみ付きネジ３で固定される装着部４と、該装着部４に対して着脱可能に取り付けられる枠本体５とを備えている。
【００１７】
装着部４は、その前面及び上面に開口した略矩形の凹部４ａを備えている。凹部４ａの奥壁には永久磁石６が埋設されており、該永久磁石６には、枠本体５の被吸着板７が着脱可能に吸着されるようになっている。このように、ポケット枠１は、装着部４より先端側の部分がポケットＰの形状や布厚等に応じて適宜ワンタッチで交換できるようになっている。
【００１８】
枠本体５は、後端部にネジ２０で止められた強磁性体の被吸着板７と、前端の両側に左右に間隔を置いて前方に突設された一対の押し退けアーム８と、前端側の上面に該各押し退けアーム８に対応して設けられた一対の押さえバネ１６とを備えている。
【００１９】
押し退けアーム８は、前方に延びる長手の平板状に形成された基端部と、該基端部の先端に一体形成された先端部とよりなる。先端部の前面には、ポケットの開口側の内布Ｒの一部Ｒａを掛止する掛止部としての左右方向に延びる凹溝９が形成されている。押し退けアーム８先端の凹溝９は、その奥壁９ａが左右方向に略円弧状に湾曲形成されており、ポケットＰの幅方向における内布Ｒの中間側を掛止する部分（他方の押し退けアーム８に近い側）ほど奥行きが浅く形成されている。この押し退けアーム８が掛止部としての凹溝９でポケットＰの開口側の内布Ｒを外れないように掛止しながらポケットＰの奥方向に押し退けておく押し退け部である。
【００２０】
各押し退けアーム８の基端部の上面には、粘着剤１０が上面に付着された両面粘着性シート１１を配設することによって間接的に粘着剤１０を付着させている。この粘着剤１０が、ポケットＰの外布Ｑの開口縁部ＱａをポケットＰの開口側の内布Ｒとは相対的に反対方向に引き寄せた状態で保持する保持手段である。また、各押し退けアーム８の上面には、外布Ｑの開口縁部Ｑａを保持する位置を決めるための目盛１２を設けている。
【００２１】
押さえバネ１６は、枠本体５の前端側の上面に形成された左右一対の嵩高部５ａにそれぞれ回動自在にネジ１７で取り付けられており、押し退けアーム８の上面と枠本体５の上面との間を手で回動させることができるようになっている。すなわち、押さえバネ１６は、押し退けアーム８の上面を押さえない位置に退避可能に構成されている。この押さえバネ１６は、長手板状に形成された弾性材であり、その先端は斜め下方向に向けて折曲されており、押し退けアーム８の上面又は枠本体の上面を押さえるように弾性力を発揮する。この押さえバネ１６も、ポケットＰの外布Ｑの開口縁部ＱａをポケットＰの開口側の内布Ｒとは相対的に反対方向に引き寄せた状態で保持する保持手段である。
【００２２】
次に、このポケット枠１の使い方を順に説明する。まず、図２及び図４に示すように押さえバネ１６の先端を枠本体５の上面に位置させておく（押し退けアーム８の上面を押さえない位置に退避しておく。）。次いで、図３及び図５に示すようにポケットＰの開口側の内布Ｒを折り曲げて、該折り曲げた内布Ｒの一部Ｒａを凹溝９に掛止する。そして、ポケットＰの外布Ｑの開口縁部Ｑａを押し退けアーム８の上方に引き寄せると、ポケットＰの開口側の内布ＲがポケットＰの奥方向に押し退けられる。
【００２３】
次いで、左右の押し退けアーム８の上面に設けられた目盛１２を参照することにより、外布Ｑの開口縁部Ｑａの先端位置を左右の押し退けアーム８で同じ位置にし、ポケットＰの外布Ｑの開口縁部Ｑａを押し退けアーム８上面の粘着剤１０に押し付けて貼り付ける。さらに、押さえバネ１６を手で回動させて、その先端部で外布Ｑの開口縁部Ｑａを押し退けアーム８上面に押さえるようにする。こうして、ポケットＰがポケット枠１に張設される。
【００２４】
このように構成されたミシンのポケット枠１によれば、ポケットＰの開口側の内布Ｒを外れないように掛止しながらポケットＰの奥方向に押し退けておく押し退けアーム８と、ポケットＰの外布Ｑの開口縁部ＱａをポケットＰの開口側の内布Ｒとは相対的に反対方向に引き寄せた状態で保持する保持手段としての粘着剤１０とを備えているので、ポケットＰの外布Ｑの開口縁部Ｑａにおける縫製加工範囲Ａの奥行きをより長く確保し、もって、より広い縫製加工範囲を確保することができる。
【００２５】
また、押し退けアーム８は平板状に形成されてその高さが低いため、針棒、針、布押え等が押し退けアーム８に干渉し難く、押し退けアーム８の直ぐ脇まで縫製することができる。従って、縫製加工範囲Ａの幅をより長く確保し、もって、より広い縫製加工範囲を確保することができる。
【００２６】
また、押し退けアーム８は、掛止部としての凹溝９を先端に有しているので、ポケットＰの開口側の内布ＲをポケットＰの奥方向に押し退けるときに、内布Ｒの一部Ｒａが押し退けアーム８の先端から外れたりしない。このため、ポケットＰを簡単に張設することができる。また、凹溝９を備えているので、一旦ポケット枠１に張設した後で内布Ｒの一部Ｒａが押し退けアーム８の先端から外れることもない。
【００２７】
そして、押し退けアーム８先端の凹溝９は、ポケットＰの幅方向における内布Ｒの中間側を掛止する部分ほど奥行きが浅く形成されているので、凹溝９の奥行きが深い部分で同方向における内布Ｒの端側を逃がしつつ、凹溝９の奥行きが浅い部分で同方向における内布の中間側をより深くポケットＰの奥方向に押し退けることができ、ポケットＰの外布Ｑの開口縁部Ｑａにおける縫製加工範囲Ａの奥行きをより長く確保し、もって、より広い縫製加工範囲を確保することができる。
【００２８】
また、外布Ｑの開口縁部Ｑａを粘着保持するための粘着剤１０を押し退けアーム８の上面に設けているので、外布Ｑの開口縁部ＱａをポケットＰの開口側の内布Ｒとは相対的に反対方向に引き寄せた状態で簡単に保持させることができる。このため、ポケットＰをポケット枠１に簡単に張設することができる。
【００２９】
さらに、外布Ｑを押し退けアーム８の上面に押し付けて保持するための押さえバネ１６によっても、粘着剤１０と同様の効果を得ることができる。
【００３０】
しかも、この押さえバネ１６は、押し退けアーム８の上面を押さえない位置に退避可能に構成されているので、ポケットＰ張設時において、押さえバネ１６が必要となる段階の前までは、邪魔にならないように前記押さえない位置に退避させておくことができる。
【００３１】
また、外布Ｑの開口縁部Ｑａを保持する位置を決めるための目盛１２を一対の押し退けアーム８の上面に設けたので、所望の位置にポケットＰを正確に張設することができる。従って、ポケット枠１にポケットＰを張設する都度、同じ位置に外布Ｑの開口縁部Ｑａを保持することができる。しかも、左右の押し退けアーム８で保持する位置を合わせたり、保持する位置を一定量ずらせたりすることもできる。
【００３２】
次に、図６及び図７は、第二実施形態のミシンのポケット枠３０を示している。このポケット枠３０は、主に、押し退けアーム３２，３３同士の間隔を調節可能に構成した点において第一実施形態と相違している。以下、第一実施形態と同様の部分については、同一の符号を付することにより重複説明を省く。
【００３３】
このポケット枠３０の枠本体３１は、ベース部３４と、該ベース部３４に左右に相対移動可能に設けられた可動部３５とを備えている。ベース部３４には、前後一対の雄ネジ部３４ａが立設されている。可動部３５には、左右に平行に延びる前後一対の長孔３５ａが形成されている。可動部３５は、その一対の長孔３５ａをベース部３４の一対の雄ネジ部３４ａがそれぞれ挿通した状態でナット３６により固定されている。
【００３４】
ベース部３４及び可動部３５には、それぞれ、ミシンの筒状ベッドの上方に延びる固定押し退けアーム３２及び可動押し退けアーム３３が一体に形成されている。各アーム３２，３３は、その先端部が他方のアームに近づく方向に延設されている。そして、この延設部の他方のアーム側かつ後側が折曲されることにより、左右方向に延びる凹溝９が形成されている。この押し退けアーム３２，３３が掛止部としての凹溝９でポケットＰの開口側の内布Ｒを外れないように掛止しながらポケットＰの奥方向に押し退けておく押し退け部である。各押し退けアーム３２，３３の上面には、保持手段としての粘着剤１０を付着させている。
【００３５】
固定押し退けアーム３２の基端側におけるベース部３４の上面及び可動押し退けアーム３３の基端側における可動部３５の上面には、それぞれのアーム３２，３３の上面を押さえる長手板状の弾性材よりなる保持手段としての押さえバネ３７が設けられている。この押さえバネ３７は、回動可能に軸３８で支持されており、軸３８の付近に設けられた規制部材３９によって、押し退けアーム３２，３３の上方に位置する状態と、該状態からベース部３４の外側に向けて略９０°回転した状態までの間に回動範囲が規制されている。押さえバネ３７の先端には、登り段状に折曲形成されてなる取っ手部３７ａが設けられており、この取っ手部３７ａを手で摘んで、押さえバネ３７を回動させるようになっている。
【００３６】
押さえバネ３７は、その先端部の下面側に、軸４０によって遊着された取付部材４１を介して配設された滑り止め部材４２を備えている。滑り止め部材４２としては、特に限定されないが、軟質樹脂（スポンジ状に発泡させたものを含む）、ゴム等を例示できる。取付部材４１は、押さえバネ３７の側縁に当接し得る垂直壁４１ａを備え、該垂直壁４１ａによって取付部材４１は、左右方向への揺動が規制され、主に前後方向への揺動が可能になっている。
【００３７】
本実施形態によれば、第一実施形態の効果に加え、ベース部３４と、該ベース部３４に左右に相対移動可能に設けられた可動部３５とにそれぞれ押し退けアーム３２，３３を設けているので、ベース部３４に対する可動部３５の取付位置を調節することにより、押し退けアーム３２，３３同士の間隔を調節することができる。このため、大きさ、形状等の異なる種々のポケットＰに容易に対応することができる。
【００３８】
また、押さえバネ３７は、その下面に滑り止め部材４２が配設されているので、ポケットＰの外布Ｑの開口縁部ＱａをポケットＰの開口側の内布Ｒとは相対的に反対方向に引き寄せた状態で確実に保持することができる。
【００３９】
なお、本発明は前記実施形態の構成に限定されず、例えば以下のように、発明の趣旨から逸脱しない範囲で適宜変更して具体化することもできる。
（１）ポケットＰの大きさ、形状等に応じて押し退けアーム８の前方への突出長さを調節可能に構成すること。
【００４０】
（２）第一実施形態において、ポケットＰの大きさ、形状等に応じて押し退けアーム８同士の間隔を調節可能に構成すること。
【００４１】
（３）押し退けアーム８先端に、掛止部としての凹溝９に代えて、複数の凸部を設けること。
【００４２】
（４）枠本体の中心に対して左右対称な状態で押し退けアーム同士の間隔を調節可能に構成すること。
【００４３】
【発明の効果】
以上詳述したように、請求項１の発明に係るミシンのポケット枠によれば、より広い縫製加工範囲を確保することができる。
【００４４】
上記効果に加え、請求項２、３、５、６及び７の発明によれば、ポケットを簡単に張設することができる。
【００４５】
上記効果に加え、請求項４の発明によれば、さらにより広い縫製加工範囲を確保することができる。
【００４６】
上記効果に加え、請求項８の発明によれば、ポケット張設時において、押さえ部材が必要となる段階の前までは、邪魔にならないように退避させておくことができる。
できる。
【００４７】
上記効果に加え、請求項９の発明によれば、ポケットを確実に保持することができる。
【００４８】
上記効果に加え、請求項１０の発明によれば、所望の位置にポケットを正確に張設することができる。
【００４９】
上記効果に加え、請求項１１の発明によれば、大きさ、形状等の異なる種々のポケットに容易に対応することができる。
【図面の簡単な説明】
【図１】本発明を具体化した第一実施形態のミシンのポケット枠を示す斜視図である。
【図２】同ポケット枠へポケットを張設する手順の一段階を示す平面図である。
【図３】同手順の別の段階を示す平面図である。
【図４】図２のＩＶ−ＩＶ線断面図である。
【図５】図３のＶ−Ｖ線断面図である。
【図６】本発明を具体化した第二実施形態のミシンのポケット枠を示す平面図である。
【図７】図６のＶＩＩ−ＶＩＩ線断面図である。
【図８】従来の縫製枠にポケットを張設した状態を示す平面図である。
【図９】従来の縫製枠にポケットを張設する手順を示す図である。
【符号の説明】
１    ポケット枠
５    枠本体
８    押し退けアーム
９    凹溝
１０    粘着剤
１２    目盛
１６    押さえ部材としての押さえバネ
３０    ポケット枠
３１    枠本体
３２    固定押し退けアーム
３３    可動押し退けアーム
３７    押さえ部材としての押さえバネ
４２    滑り止め部材
Ａ    縫製加工範囲
Ｐ    ポケット
Ｑ    外布
Ｑａ  開口縁部
Ｒ    内布
Ｒａ  内布の一部
【図１】
0004105332.tif 000002
【図２】
0004105332.tif 000003
【図３】
0004105332.tif 000004
【図４】
0004105332.tif 000005
【図５】
0004105332.tif 000006
【図６】
0004105332.tif 000007
【図７】
0004105332.tif 000008
【図８】
0004105332.tif 000009
【図９】
0004105332.tif 000010